(57)【要約】【課題】本発明は、パソコンのＵＳＢ２．０インターフェースと、ステレオヘッドホン出力及びマイク入力信号をデジタル処理により変換するＳｋｙｐｅ通話専用のオーディオＵＳＢ変換アダブタを提供する。【解決手段】Ｓｋｙｐｅ通話専用のオーディオＵＳＢ変換アダブタは、図１による構成とし、構造としては図２、図３及び図４に示す形状とする。本発明はＵＳＢ２．０インターフェースを利用してステレオヘッドホン出力やマイク入力信号をデジタル処理により変換する専用のマイクロプロセッサ俗に言うＤＳＰコントローラと入出力インターフェースとでＳｋｙｐｅ通話専用のオーディオＵＳＢ変換アダブタを構成する。またアダブタ部の構造として、ＵＳＢ２．０インターフェース用ＵＳＢプラグと３．５φのステレオヘッドホン出力端子と３．５φのマイク入力端子とを一体化したＳｋｙｐｅ通話専用のオーディオＵＳＢ変換アダブタを提供する。【選択図】図１
2007220051.tif 000002
【特許請求の範囲】
【請求項１】
本発明はＵＳＢ２．０インターフェースを介してステレオヘッドホン出力やマイク入力信号をデジタル処理により変換する専用のマイクロプロセッサ俗に言うＤＳＰコントローラと入出力インターフェースと３．５φのステレオヘッドホン出力端子とマイク入力端子とＵＳＢプラグとを一体化したことからなることを特徴とするＳｋｙｐｅ通話専用のオーディオＵＳＢ変換アダブタ。
【請求項２】
ＵＳＢ２．０インターフェースを利用してステレオヘッドホン出力やマイク入力信号をデジタル処理により変換する専用のマイクロプロセッサ俗に言うＤＳＰコントローラを搭載することにより、別途ドライバーソフトウエアをパソコンにインストールする必要が無くＵＳＢコネクタに接続するだけで、ＵＳＢヘッドセットと同様な高音質のステレオ出力が得られる請求項１に記載のＳｋｙｐｅ通話専用のオーディオＵＳＢ変換アダブタ。
【請求項３】
本オーディオＵＳＢ変換アダブタは、高音質のステレオ信号出力が得られるためヘッドセットを接続することにより、Ｓｋｙｐｅ通話、ビデオ会議を始め、ＣＤ及びＤＶＤの音楽鑑賞及びＭＰ３規格の音楽を聴くことが出来る請求項１に記載のＳｋｙｐｅ通話専用のオーディオＵＳＢ変換アダブタ。
【請求項４】
本オーディオＵＳＢ変換アダブタは、パソコンのＵＳＢ２．０インターフェースを使用する為、従来の３．５Φのマイク端子とヘッドホン端子は開放されパソコンのスピーカを活かす事ができ、また外部スピーカーにも接続出来る請求項１に記載のＳｋｙｐｅ通話専用のオーディオＵＳＢ変換アダブタ。
【請求項５】
Ｓｋｙｐｅ通話を行なう場合の通話セットは、３．５φのプラグ付きイヤホン及びマイクの信号用ケーブル長を１２００ｍｍまで引き出し及び巻き取り収納可能な機能を持つＳｋｙｐｅ通話専用のスカイプ用リール式イヤホンと、本オーディオＵＳＢ変換アダブタを組み合わせて使用することで、Ｓｋｙｐｅ通話が容易になり、通話セットのケーブルが長すぎて絡まりやすくスムーズに通話を開始できないという欠点を解消し作業性も向上する請求項１に記載のＳｋｙｐｅ通話専用のオーディオＵＳＢ変換アダブタ。
【請求項６】
本オーディオＵＳＢ変換アダブタを小型の構造にすることにより、出張、旅行時の携帯にも適した形状となり、実用的で廉価な変換アダブタを提供出来るという請求項１に記載のＳｋｙｐｅ通話専用のオーディオＵＳＢ変換アダブタ。
【請求項７】
本オーディオＵＳＢ変換アダブタは、ＵＳＢ２．０インターフェース出力機能を有するパソコンで利用でき対応ＯＳとして、Ｗｉｎｄｏｗｓ２０００とＷｉｎｄｏｗｓＸＰとＷｉｎｄｏｗｓＸＰ２とに対応できる請求項１に記載のＳｋｙｐｅ通話専用のオーディオＵＳＢ変換アダブタ。
【発明の詳細な説明】
【技術分野】
【０００１】  本発明は、パソコンのＵＳＢ２．０インターフェースと、ステレオヘッドホン出力及びマイク入力信号をデジタル処理により変換するＳｋｙｐｅ通話専用のオーディオＵＳＢ変換アダブタに関する。
【背景技術】
【０００２】  インターネット上でユーザー同士が通話する為のソフトウエアＩＰ電話Ｓｋｙｐｅを利用した無料通話が実用化されている。
インターネットを介して固定電話や携帯電話との通話も可能である。
通話手段として使用するマイク付きヘッドホンとパソコンとの接続は、３．５Φのマイク端子及びヘッドホン端子を介して行なうか、又はＵＳＢ２．０インターフェースを利用したハンディホンによる通話が実用化されている。
また通話だけでなく、パソコンのヘッドホン端子を利用してデジタルオーディオ機器と同様な音質で再生したステレオ音楽を聴くことも可能である。
【発明の開示】
【発明が解決しようとする課題】
【０００３】  従来、Ｓｋｙｐｅ通話を行なう場合、市販されている通話用ヘッドセットを利用して３．５Φのプラグ付きヘッドホン端子とマイク端子をパソコンに接続して通話を行なうが、ヘッドホン端子とマイク端子を使用するとパンコンに付属のスピーカ出力がカットされスピーカの利用価値が無くなるという欠点があった。
また通話だけでなく、パソコンのヘッドホン端子を介して再生したデジタルオーディオを聴く場合、パソコンに内臓のオーディオドラオバーにより音質が決定される為、ドラオバーの性能により音質が低下するという欠点があった。
Ｓｋｙｐｅ通話を行なう場合、通話用ヘッドセットタイプを含む３．５φのプラグ付きケーブルとイヤホンとマイクの通話セットはケーブルが長すぎて絡まりやすく、作業の妨げにな事もありスムーズに通話を開始できないという欠点があった。【０００４】  本発明は、以上のような欠点を鑑みＳｋｙｐｅ通話を行なう為の作業性と利便性を確保すると同時に、パソコンをデジタルオーディオの再生機器としても利用可能なパンコンのＵＳＢ２．０インターフェースと、ステレオヘッドホン出力及びマイク入力信号をデジタル処理により変換するＳｋｙｐｅ通話専用のオーディオＵＳＢ変換アダブタを提供することを目的とする。
【課題を解決するための手段】
【０００５】  上記目的を達成するために、本発明はＵＳＢ２．０インターフェースを利用してステレオヘッドホン出力やマイク入力信号をデジタル処理により変換する専用のマイクロプロセッサ俗に言うＤＳＰコントローラと入出力インターフェースとでＳｋｙｐｅ通話専用のオーディオＵＳＢ変換アダブタを構成する。
またアダブタ部の構造として、ＵＳＢ２．０インターフェース用プラグと３．５φのステレオヘッドホン出力端子と３．５φのマイク入力端子とを一体化したＳｋｙｐｅ通話専用のオーディオＵＳＢ変換アダブタを提供する。
Ｓｋｙｐｅ通話を行なう場合、３．５φのブラグ付きケーブルとイヤホンとマイクの通話セットは、イヤホン及びマイクの信号用ケーブル長１２００ｍｍまで引き出し及び巻き取り収納可能な機能を持つＳｋｙｐｅ通話専用のスカイプ用リール式イヤホンを使用する。
【発明の効果】
【０００６】  上述したように本発明のＳｋｙｐｅ通話専用のオーディオＵＳＢ変換アダブタは、デジタル処理により変換する専用のマイクロプロセッサを搭載し、ＵＳＢ２．０インターフェース用プラグと３．５φのステレオヘッドホン出力端子と３．５φのマイク入力端子とを一体化し、且つ小型の構造にすることにより実用性を追求した結果、下記に説明する効果が得られる。【０００７】  ＵＳＢ２．０インターフェースを利用してステレオヘッドホン出力やマイク入力信号をデジタル処理により変換する専用のマイクロプロセッサ俗に言うＤＳＰコントローラを搭載することにより、別途ドライバーソフトウエアをパソコンにインストールする必要が無くＵＳＢコネクタに接続するだけで、ＵＳＢヘッドセットと同様な高音質のステレオ出力が得られるという効果がある。【０００８】  本オーディオＵＳＢ変換アダブタは、高音質のステレオ信号出力が得られるためヘッドセットを接続することにより、Ｓｋｙｐｅ通話、ビデオ会議を始め、ＣＤ及びＤＶＤの音楽鑑賞及びＭＰ３規格の音楽を聴くことが出来るという効果がある。【０００９】  本オーディオＵＳＢ変換アダブタは、パソコンのＵＳＢ２．０インターフェースを使用する為、従来の３．５Φのマイク端子とヘッドホン端子は開放されパソコンのスピーカを活かす事ができ、また外部スピーカーにも接続出来るという効果がある。【００１０】  Ｓｋｙｐｅ通話を行なう場合の通話セットは、３．５φのプラグ付きイヤホン及びマイクの信号用ケーブル長を１２００ｍｍまで引き出し及び巻き取り収納可能な機能を持つＳｋｙｐｅ通話専用のスカイプ用リール式イヤホンと、本オーディオＵＳＢ変換アダブタを組み合わせて使用することで、Ｓｋｙｐｅ通話が容易になり、通話セットのケーブルが長すぎて絡まりやすくスムーズに通話を開始できないという欠点を解消し作業性も向上するという効果がある。【００１１】  本オーディオＵＳＢ変換アダブタを小型の構造にすることにより、出張、旅行時の携帯にも適した形状となり、実用的で廉価な変換アダブタを提供出来るという効果がある。【００１２】  本オーディオＵＳＢ変換アダブタは、ＵＳＢ２．０インターフェース出力機能を有するパソコンで利用でき対応ＯＳとして、Ｗｉｎｄｏｗｓ２０００とＷｉｎｄｏｗｓＸＰとＷｉｎｄｏｗｓＸＰ２とに対応できるという効果がある。
【発明の実施するための最良の形態】
【００１３】  以下、本発明の実施の形態を図１〜図２に基づいて説明する。
【００１４】  図１はオーディオＵＳＢ変換アダブタによりＳｋｙｐｅ通話を行なう場合の一実施の形態を示す概観図であり、ＵＳＢ２．０インターフェース１を利用してステレオヘッドホン出力やマイク入力信号をデジタル処理により変換する専用のマイクロプロセッサ俗に言うＤＳＰコントローラ２と入出力インターフェース３と３．５φのステレオヘッドホン出力端子４とマイク入力端子５とＵＳＢプラグ６とでＳｋｙｐｅ通話専用のオーディオＵＳＢ変換アダブタ７を構成する。
またオーディオＵＳＢ変換アダブタ７の構造として、ＵＳＢ２．０インターフェース用ＵＳＢプラグ６と３．５φのステレオヘッドホン出力端子４と３．５φのマイク入力端子５とＤＳＰコントローラ２と入出力インターフェース３とを一体化した形態を図２に示す。
Ｓｋｙｐｅ通話を行なう場合、３．５φのステレオイヤホン端子８とマイク端子９とステレオイヤホン１０とマイク１１とステレオイヤホン１０及びマイク１１の信号用ケーブル長１２００ｍｍまで引き出し及び巻き取り収納可能なリール部１２とを備えたＳｋｙｐｅ通話専用のスカイプ用リール式イヤホン１３と本オーディオＵＳＢ変換アダブタ７を併せて使用する。
パソコン１４はＵＳＢプラグが接続可能なＵＳＢコネクタが実装されているものとする。
【００１５】  以下、上記構成の動作を説明する。
本オーディオＵＳＢ変換アダブタ７とＳｋｙｐｅ通話専用のスカイプ用リール式イヤホン１３を接続しＳｋｙｐｅ通話を行なう場合、パソコン１４のＵＳＢコネクタへ本オーディオＵＳＢ変換アダブタ７に一体化されたＵＳＢプラグ６を差し込む。
次にスカイプ用リール式イヤホン１３の３．５φステレオイヤホン端子８とマイク端子９とステレオイヤホン１０とを左右同時に引っ張り、適切な長さまでケーブルを引き出し３．５φのステレオイヤホン端子８とマイク端子９を本オーディオＵＳＢ変換アダブタ７に一体化された３．５φのステレオヘッドホン出力端子４と３．５φのマイク入力端子５へ接続しステレオイヤホン１０を耳に宛がう。
パソコン１４がＳｋｙｐｅ通話可能な状態となっていることを確認し、通話相手に対して発信すると通話が開始できる。
Ｓｋｙｐｅ通話終了後は、パソコン１４に接続したオーディオＵＳＢ変換アダブタ７のＵＳＢプラグ６を引き抜いた後、スカイプ用リール式イヤホン１３の３．５φのステレオイヤホン端子８とマイク端子９とを本変換アダブタ７から引き抜き、リール部１２のコードを２０ｍｍ程度引き出した後緩めることにより、ケーブルは巻き取られリール部１２に収納される。
またパソコン１４に内蔵されている音楽も本オーディオＵＳＢ変換アダブタ７を介して高音質で聴くことが出来るため、Ｓｋｙｐｅ通話をしていないときは音楽鑑賞のツールとして本オーディオＵＳＢ変換アダブタ７を利用できる。
【図面の簡単な説明】
【００１６】
【図１】本発明の一実施の形態を示す概観図である。
【図２】本発明の正面図である。
【図３】本発明の底面図である。
【図４】本発明の左側面図である。
【符号の説明】
【００１７】１  ＵＳＢ２．０インターフェース
２  ＤＳＰコントローラ（Ｄｉｇｉｔａｌ  Ｓｉｇｎａｌ  Ｐｒｏｃｅｓｓｏｒ）
３  入出力インターフェース
４  ステレオヘッドホン出力端子
５  マイク入力端子
６  ＵＳＢプラグ
７  オーディオＵＳＢ変換アダブタ
８  ステレオイヤホン端子
９  マイク端子
１０  ステレオイヤホン
１１  マイク
１２  リール部
１３  スカイプ用リール式イヤホン
１４  パソコン
【図１】
2007220051.tif 000003
【図２】
2007220051.tif 000004
【図３】
2007220051.tif 000005
【図４】
2007220051.tif 000006